(57)【特許請求の範囲】
【請求項１】
隣接して配置される第１表示装置および第２表示装置に接続された画像処理装置であって、
前記第１表示装置および前記第２表示装置から当該第１表示装置および当該第２表示装置に固有なデバイス情報を取得する取得手段と、
前記第１表示装置および前記第２表示装置に表示させる画像の色調整を行うための測色用画像の作成に用いられる基準データを記憶する基準データ記憶手段と、
前記取得手段が取得した前記デバイス情報と前記記憶手段から読み出した前記基準データとを用いて基準画像を含む出力画像データを作成し、前記第１表示装置および前記第２表示装置に向けて出力する出力手段と
を有し、
前記出力手段は、前記第１表示装置のデバイス情報に基づいて当該第１表示装置における一部の領域であって前記第２表示装置と隣り合う端部を含む第１領域の大きさを決定するとともに、当該第２表示装置のデバイス情報に基づいて当該第２表示装置における一部の領域であって当該第１領域と隣り合う第２領域の大きさを決定し、当該第１表示装置における当該第１領域と当該第２表示装置における当該第２領域とに、前記測色用画像を夫々表示させることを特徴とする画像処理装置。
【発明の詳細な説明】
【技術分野】
【０００１】
本発明は、画像処理装置および画像表示システムに関する。
【背景技術】
【０００２】
公報記載の従来技術として、画像を表示するＣＲＴを備えたディスプレイ装置と、ディスプレイ装置に対して画像に係る信号を出力するコンピュータとを有し、ディスプレイ装置に、コンピュータから送られてくる出力信号に基づいて動作することでＣＲＴに画像を表示させるビデオ回路と、ビデオ回路を制御して画質を調整するためのパラメータと画質モードとを対応付けたパラメータテーブルを記憶させたメモリとを設け、コンピュータが実行するアプリケーションソフトウェアに応じてディスプレイ装置がパラメータを自動的に変更することで、ＣＲＴによる表示を適切な画質に切り換えることが記載されている（特許文献１参照）。
【先行技術文献】
【特許文献】
【０００３】
【特許文献１】特開２００５−１６５３４１号公報
【発明の概要】
【発明が解決しようとする課題】
【０００４】
本発明は、種々の表示装置に適切な基準画像を表示させることを目的とする。
【課題を解決するための手段】
【０００５】
請求項１記載の発明は、隣接して配置される第１表示装置および第２表示装置に接続された画像処理装置であって、前記第１表示装置および前記第２表示装置から当該第１表示装置および当該第２表示装置に固有なデバイス情報を取得する取得手段と、前記第１表示装置および前記第２表示装置に表示させる画像の色調整を行うための測色用画像の作成に用いられる基準データを記憶する基準データ記憶手段と、前記取得手段が取得した前記デバイス情報と前記記憶手段から読み出した前記基準データとを用いて基準画像を含む出力画像データを作成し、前記第１表示装置および前記第２表示装置に向けて出力する出力手段とを有し、前記出力手段は、前記第１表示装置のデバイス情報に基づいて当該第１表示装置における一部の領域であって前記第２表示装置と隣り合う端部を含む第１領域の大きさを決定するとともに、当該第２表示装置のデバイス情報に基づいて当該第２表示装置における一部の領域であって当該第１領域と隣り合う第２領域の大きさを決定し、当該第１表示装置における当該第１領域と当該第２表示装置における当該第２領域とに、前記測色用画像を夫々表示させることを特徴とする画像処理装置である。
【発明の効果】
【０００７】
請求項１記載の発明によれば、本構成を有していない場合と比較して、隣接する２つの表示装置の種類等の違いを加味した状態で、これら２つの表示装置の境界部における色再現のずれを目立ちにくくすることができる。
【図面の簡単な説明】
【０００８】
【図１】本実施の形態が適用される画像表示システムの構成の一例を示した図である。
【図２】画像表示システムに色設定システムを取り付けた状態を説明するための図である。
【図３】画像表示システムによる表示用画像の表示動作における画像処理装置での処理の流れを説明するためのフローチャートである。
【図４】画像表示システムおよび色設定システムによる色変換テーブルの作成動作における画像処理装置での処理の流れを説明するためのフローチャートである。
【図５】測色用の出力画像データの作成手順を説明するためのフローチャートである。
【図６】（ａ）〜（ｃ）は、測色用画像を表示する対象領域の決定において用いられる対象領域決定テーブルの一例を示す図である。
【図７】（ａ）〜（ｃ）は、決定された対象領域の一例を示す図である。
【図８】（ａ）〜（ｃ）は、決定された対象領域の他の一例を示す図である。
【図９】測色用画像の色、数および順番の決定において用いられる測色画像数決定テーブルの一例を示す図である。
【図１０】表示画面に表示する測色用画像の配置の一例を示す図である。
【図１１】（ａ）、（ｂ）は画像表示システムにより表示される画像の内容を示す図である。
【発明を実施するための形態】
【０００９】
例えば、デザイナーが種々の製品のデザインを行う際には、デザインを行う製品のモックアップを作製して、実際に製品となったときの確認を行うことがある。しかしながら、モックアップは、一般に製作費用が高額となりやすく、また製作するのに多くの労力や時間を要しやすいという問題がある。
【００１０】
そのため、近年では、パーソナルコンピュータ等を使用し、ＣＧ（Computer Graphics）により製品のデザインを行う場合が多くなってきている。この場合、デザイナーは、パーソナルコンピュータ等に接続された小サイズの液晶ディスプレイ等のモニタに、製品の画像を出力してデザインを行うことになる。しかし、製品が大きなサイズのものであるときは、小サイズの液晶モニタでは、製品全体のイメージを捉えることが困難であるため、例えば、大サイズの液晶ディスプレイ（液晶テレビ等を含む）やプロジェクタなどのモニタを別途使用して出力を行うことがある。また、モニタでは、例えば製品表面の質感などを把握することは一般に困難であり、その場合は、電子写真プリンタや大判インクジェットプリンタ等のプリンタを使用して、用紙等の紙媒体に画像を出力し、確認を行うこともある。
【００１１】
このように、ＣＧを使用して製品のデザインを行う際には、複数のモニタや複数のプリンタ等を使用する場合が多い。しかしながら、モニタやプリンタ等で出力する際に共通の画像データを使用しても、それぞれのデバイス特性の違いにより、出力される画像が同じ色表現とはならないのが実情である。このデバイス特性は、モニタやプリンタの製造者や型番が異なれば異なるものである。さらに、同じ製造者且つ同じ型番のものであっても、製造時のばらつきや経年変化により、やはりデバイス特性が異なることがある。モニタやプリンタ等のそれぞれの色表現が異なる場合、デザイナーは、製品の色について正確に把握することができず、デザインを行うのに支障が生じることになる。
【００１２】
このような色表現の差違は、プリンタを使用して画像を出力（印刷）する場合より、モニタを使用して画像を出力（表示）した場合に、より生じやすい。そのため、従来にあっては、特定のモニタを基準とし、この基準となるモニタに色表現を合致させるように、他のモニタについて色の調整を行うのが一般的であった。この場合、他のモニタについては、それぞれ個別に色の調整を行う必要があるため、調整のための労力が多大となる。また、基準となるモニタを変更した場合などは、再度調整が必要になることから、さらに多くの労力が必要になるという問題がある。
【００１３】
また、モニタの色の調整は、ＯＳ（Operating System）でサポートされるカラーマネジメント機能において使用されるＩＣＣ（International Color Consortium）プロファイルを調整する方法が一般的である。しかしながら、ＩＣＣプロファイルの調整を適切に行うのは熟練を要し、困難であることが多い。さらに、ＩＣＣプロファイルの調整を誤るとモニタの色表現が適切にならなくなるのみならず、モニタに画像を表示するためのアプリケーションソフトウェアが起動しなくなる場合もある。
【００１４】
画像データは、ＯＳ上で動作するアプリケーションソフトウェアにより作成される。ここで、アプリケーションソフトウェアには、ＩＣＣプロファイルに基づき画像データを作成するものと、ＩＣＣプロファイルを参照せずに画像データを作成するものとがある。そのため、作成された画像データに基づく画像をモニタに表示する際に、ＩＣＣプロファイルに基づき画像データを作成するアプリケーションソフトウェアとＩＣＣプロファイルを参照せずに画像データを作成するアプリケーションソフトウェアとで、色表現に相違が生ずるという問題もある。
そこで、本実施の形態では、以下に説明するような画像処理装置を用い、上記問題の抑制を図っている。
【００１５】
以下、添付図面を参照して、本発明の実施の形態について詳細に説明する。
図１は、本実施の形態が適用される画像表示システム１０の構成例を示す図である。
この画像表示システム１０は、ネットワークＮに接続され、表示のための画像データ（入力画像データ）の作成等を行う表示用ＰＣ（Personal Computer）１１と、表示画面１２１に画像を表示させる表示装置１２と、表示用ＰＣ１１から入力されてくる入力画像データに色変換テーブルを用いた色変換処理を施し、得られた画像データ（表示用の出力画像データ）を表示装置１２に出力する画像処理装置１３とを備えている。なお、画像表示システム１０は、ネットワークＮを介して、別の画像表示システムや各種プリンタ等と接続されている。
【００１６】
この画像表示システム１０において、表示用ＰＣ１１および画像処理装置１３はＤＶＩ（Digital Visual Interface）を介して接続されており、画像処理装置１３および表示用ＰＣ１１もＤＶＩを介して接続されている。なお、ＤＶＩに代えて、ＨＤＭＩ（High-Definition Multimedia Interface）やDisplayPortを介して接続するようにしてもかまわない。
【００１７】
供給装置の一例としての表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１８】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００１９】
さらに、色変換装置の一例としての画像処理装置１３は、上述した色変換処理を行う機能の他、色変換処理において用いられる色変換テーブルの作成を補助する機能、より具体的には、色変換テーブルを作成する処理において、表示装置１２の表示画面１２１に表示させる基準画像の一例としての測色用画像の元となる画像データ（測色用の出力画像データ）を作成する機能を備えている。また、この例において、画像処理装置１３は、表示用ＰＣ１１のＯＳによる管理の外に置かれており、表示用ＰＣ１１のＯＳによる機能の制限を受けないようになっている。なお、画像処理装置１３の詳細については後述する。
【００２０】
ここで、図１に示す画像表示システム１０は、１台の表示用ＰＣ１１に１台の画像処理装置１３を介して１台の表示装置１２を接続する場合を例示しているが、これに限られるものではない。例えば、１台の画像処理装置１３に複数台の表示装置１２を接続し、各表示装置１２に連続した異なる画像を表示する、所謂マルチモニタ構成とすることも可能である。また、１台の表示用ＰＣ１１に複数台の画像処理装置１３を接続し、各画像処理装置１３にそれぞれ表示装置１２を接続して、マルチモニタ構成とすることも可能である。
【００２１】
さて、本実施の形態の画像表示システム１０では、表示用ＰＣ１１ではなく画像処理装置１３が、入力画像データに色変換処理を施すことで表示用の出力画像データを作成する。ここで、画像処理装置１３における色変換処理で用いられる色変換テーブルは、表示装置１２のデバイス特性と、ネットワークＮを介して接続される他の画像表示システムやプリンタ等のデバイス特性とを加味し、図１に示す画像表示システム１０および他の画像表示システムやプリンタ等での色表現を合致させるように、その作成が行われる。または、デファクトスタンダードとして用いられている表示デバイス特性（例えばsRGBや、AdobeRGB(1998)）での色再現を合致させるように、その作成が行なわれる。これらのデータは必ずしもネットワークＮを介して入手する必要はなく、表示用ＰＣ１１内に予め内蔵されているデータを使用しても、ＵＳＢ等を介してデータを取得してもよい。そして、画像表示システム１０では、画像表示システム１０に後述する色設定システムを外付けした状態で、表示装置１２のデバイス特性を加味した色変換テーブルの作成が実行される。
【００２２】
では、画像処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。なお、図２には、画像表示システム１０に設けられた画像処理装置１３の内部構成も、併せて示している。
【００２３】
本実施の形態の色設定システム２０は、画像表示システム１０の画像処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２４】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における画像処理装置１３とは、ＵＳＢを介して接続されている。
【００２５】
色設定システム２０において、設定用ＰＣ２１は、所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２６】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００２７】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。また、図２では設定用ＰＣ２１と表示用ＰＣ１１とを分けて記載しているが、設定用ＰＣ２１と表示用ＰＣ１１を共通で使用してもよい。
【００２８】
本実施の形態の色設定システム２０においては、設定用ＰＣ２１が、測色器２２に固有な測色デバイス情報を取得するようになっている。ここで、測色デバイス情報としては、例えば、メーカ名、型番、センサの画素数（縦×横）、センサによる測色領域の大きさ、表示画面１２１に対する測色器２２の取り付け位置（測定位置）等が含まれる。そして、設定用ＰＣ２１は、取得した測色デバイス情報を、画像表示システム１０の画像処理装置１３に出力するようになっている。
【００２９】
次に、画像表示システム１０に設けられた画像処理装置１３の構成について説明を行う。
本実施の形態の画像処理装置１３は、作成手段の一例としての出力画像データ作成部１３１と、記憶手段の一例としての色変換テーブル記憶部１３２と、取得手段の一例としての表示デバイス情報取得部１３３と、記憶手段の一例としての基準色データ記憶部１３４とを備えている。
【００３０】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。また、出力画像データ作成部１３１は、例えば色変換テーブル記憶部１３２に記憶される色変換テーブルを作成あるいは更新する際、表示デバイス情報取得部１３３が取得した表示デバイス情報、設定用ＰＣ２１から取得した測色デバイス情報および基準色データ記憶部１３４から読み出した基準データの一例としての基準色データに基づいて測色用の出力画像データを作成し、表示装置１２に出力する。
【００３１】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、一次元ＬＵＴ（Look Up Table）あるいは多次元ＬＵＴ等が挙げられる。なお、色変換テーブル記憶部１３２は、読み書き可能であって電源を供給しなくても記憶内容を保持することが可能な不揮発性メモリ（例えばフラッシュメモリ）で構成される。
【００３２】
表示デバイス情報取得部１３３は、表示装置１２から、この表示装置１２に固有な表示デバイス情報を取得する。ここで、デバイス情報の一例としての表示デバイス情報としては、例えば、メーカ名、型番、表示デバイスの画素数（縦×横）、画面サイズ（インチ）、種類（ＰＣ用ディスプレイ、テレビ、プロジェクタ等）等が含まれる。そして、表示デバイス情報として、例えばＥＤＩＤ（Extended Display Identification Data）を利用することができる。なお、この例において、表示デバイス情報取得部１３３は、取得した表示デバイス情報を、表示用ＰＣ１１にも出力するようになっている。これにより、画像処理装置１３を介して接続される表示用ＰＣ１１および表示装置１２は、これら表示用ＰＣ１１と表示装置１２とを直接接続した場合と同じく、プラグアンドプレイ（表示用ＰＣ１１による表示装置１２の表示デバイス情報の把握）が可能となっている。
【００３３】
基準色データ記憶部１３４は、上述した出力画像データ作成部１３１による測色用の出力画像データの作成において用いられる基準色データを記憶する。ここで、基準色データは、例えばデバイスに依存しないＣＩＥＬＡＢ色空間にて表現された、複数の異なる色のデータを含んでいる。なお、基準色データ記憶部１３４は、読み書き可能であって電源を供給しなくても記憶内容を保持することが可能な不揮発性メモリ（例えばフラッシュメモリ）で構成される。
【００３４】
本実施の形態では、色設定システム２０に設けられた設定用ＰＣ２１が、画像表示システム１０の画像処理装置１３に設けられた色変換テーブル記憶部１３２に対し、色変換テーブルを書き込むことが可能となっている。また、色設定システム２０に設けられた設定用ＰＣ２１は、画像表示システム１０の画像処理装置１３に設けられた基準色データ記憶部１３４に対し、基準色データを書き込むことが可能となっている。
【００３５】
そして、本実施の形態の画像表示システム１０は、通常は、色設定システム２０が取り付けられていない状態で、表示用ＰＣ１１が作成した入力画像データを、画像処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは更新等を実行する際に、色設定システム２０が取り付けられた状態で、画像処理装置１３が作成した測色用の出力画像データに基づく画像（測色用画像）を、表示装置１２の表示画面１２１に表示するようになっている。
【００３６】
図３は、図１に示した、画像表示システム１０による表示用画像の表示動作における画像処理装置１３での処理の流れを説明するためのフローチャートである。
この処理においては、まず、出力画像データ作成部１３１が、表示用ＰＣ１１から入力画像データを取得する（ステップ１１０）。
次に、出力画像データ作成部１３１は、ステップ１１０で取得した入力画像データに対し、色変換テーブル記憶部１３２から読み出した色変換テーブルを用いて色変換を施し、表示用の出力画像データを作成する（ステップ１２０）。
そして、出力画像データ作成部１３１は、ステップ１２０で作成した表示用の出力画像データを表示装置１２に出力し（ステップ１３０）、一連の処理を完了する。なお、ステップ１３０の後、表示装置１２の表示画面１２１には、表示用の出力画像データに基づく表示用画像が表示される。
【００３７】
図４は、図２に示した、画像表示システム１０および色設定システム２０による色変換テーブルの作成動作における画像処理装置１３での処理の流れを説明するためのフローチャートである。
この処理においては、まず、表示デバイス情報取得部１３３が、表示装置１２から表示デバイス情報を取得する（ステップ２１０）。また、出力画像データ作成部１３１が、設定用ＰＣ２１から測色デバイス情報を取得する（ステップ２２０）。なお、ステップ２１０とステップ２２０とは、順番が逆であってもかまわない。
次に、出力画像データ作成部１３１は、ステップ２１０で表示デバイス情報取得部１３３が取得した表示デバイス情報と、ステップ２２０で取得した測色デバイス情報と、基準色データ記憶部１３４から取得した基準色データとに基づき、測色用の出力画像データを作成する（ステップ２３０）。なお、ステップ２３０の詳細については後述する。
そして、出力画像データ作成部１３１は、ステップ２３０で作成した測色用の出力画像データを、表示装置１２に出力する（ステップ２４０）。なお、ステップ２４０の後、表示装置１２の表示画面１２１には、測色用の出力画像データに基づく測色用画像が表示され、その色が測色器２２によって測色され、さらに設定用ＰＣ２１において、測色器２２による測色結果に基づく色変換テーブルの作成および画像処理装置１３への出力が行われる。
その後、色変換テーブル記憶部１３２は、設定用ＰＣ２１から送られてきた色変換テーブルを取得して記憶し（ステップ２５０）、一連の処理を完了する。
【００３８】
図５は、図４に示すステップ２３０すなわち画像処理装置１３における測色用の出力画像データの作成手順を説明するためのフローチャートである。
この処理では、まず、表示デバイス情報と測色デバイス情報とに基づいて、表示装置１２の表示画面１２１において測色用画像を表示する対象領域を決定する（ステップ２３１）。
続いて、表示デバイス情報と測色デバイス情報と基準色データとに基づき、ステップ２３１で決定した対象領域に表示する測色用画像の色、数および各測色用画像を表示する順番を決定する（ステップ２３２）。
そして、ステップ２３２で決められた各測色用画像を表示する時間を決定する（ステップ２３３）ことで、測色用の出力画像データが得られる。
【００３９】
このように、色変換テーブルの作成動作においては、画像表示システム１０に設けられた表示装置１２および画像処理装置１３と、色設定システム２０に設けられた設定用ＰＣ２１および測色器２２とが使用される一方、画像表示システム１０に設けられた表示用ＰＣ１１は使用されない。すなわち、色変換テーブルの作成動作において、表示用ＰＣ１１は不要である。また、色変換テーブルの作成動作において、画像表示システム１０の画像処理装置１３に設けられた出力画像データ作成部１３１は、色変換テーブル記憶部１３２から読み出した色変換テーブルを用いた色変換処理を行わない。
【００４０】
では次に、上述した測色用の出力画像データの作成について、具体例を挙げて説明を行う。
図６は、測色用画像を表示する対象領域の決定（図５に示すステップ２３１）において用いられる対象領域決定用テーブルの一例を示す図である。この対象領域決定用テーブルは、例えば出力画像データ作成部１３１に設けられた不揮発性メモリに記憶されている。なお、図６は、１台の画像処理装置１３に１台の表示装置１２が接続されている場合に用いられる対象領域決定用テーブルを例示している。ここで、図６（ａ）は、表示デバイス情報の一例として表示装置１２の画素数と、表示画面１２１の分割数とを対応付けた対象領域決定用テーブルを示している。また、図６（ｂ）は、表示デバイス情報の一例としての表示装置１２の画面サイズと表示画面１２１の分割数とを対応付けた対象領域決定用テーブルを示している。さらに、図６（ｃ）は、表示デバイス情報の一例としての表示装置１２の種類と、表示画面１２１の分割数とを対応付けた対象領域決定用テーブルを示している。
【００４１】
例えば図６（ａ）に示す例では、相対的に画素数が少ない（図中『少』と記す）場合における表示画面１２１の分割数を４とし、相対的に画素数が多い（図中『多』と記す）場合における表示画面１２１の分割数を２５とし、相対的な画素数が上記『少』と『多』との間となる（図中『中』と記す）場合における表示画面１２１の分割数を９としている。
また、例えば図６（ｂ）に示す例では、相対的に画面サイズが小さい（図中『小』と記す）場合における表示画面の分割数を４とし、相対的に画面サイズが大きい（図中『大』と記す）場合における表示画面の分割数を２５とし、相対的な画面サイズが上記『小』と『大』との間となる（図中『中』と記す）場合における表示画面の分割数を９としている。
さらに、例えば図６（ｃ）に示す例では、表示装置１２が『ＰＣ用ディスプレイ』である場合における表示画面の分割数を４とし、表示装置１２が『テレビ』である場合における表示画面の分割数を９とし、表示装置１２が『プロジェクタ』である場合における表示画面の分割数を２５としている。
なお、表示画面１２１の分割は、表示装置１２における画素を単位として行われる。
【００４２】
図７は、図５に示すステップ２３１で決定された対象領域の一例を示す図である。ここで、図７（ａ）は表示画面１２１を４分割した場合を、図７（ｂ）は表示画面１２１を９分割した場合を、図７（ｃ）は表示画面１２１を２５分割した場合を、それぞれ示している。なお、図７（ａ）は、図６（ａ）において『少』であった場合、図６（ｂ）において『小』であった場合、あるいは、図６（ｃ）において『ＰＣ用ディスプレイ』であった場合に対応している。また、図７（ｂ）は、図６（ａ）において『中』であった場合、図６（ｂ）において『中』であった場合、図６（ｃ）において『テレビ』であった場合に対応している。さらに、図７（ｃ）は、図６（ａ）において『多』であった場合、図６（ｂ）において『大』であった場合、図６（ｃ）において『プロジェクタ』であった場合に対応している。
【００４３】
例えば図７（ａ）において、表示画面１２１は、４個の領域すなわち第１領域Ａ１〜第４領域Ａ４に分割されている。図７（ａ）に示す例において、第１領域Ａ１〜第４領域Ａ４は、縦に２列×横に２列に並べて配置されており、それぞれがほぼ同じ面積（画素数）を有する。そして、この例では、測定デバイス情報に基づき、図中左上側となる第１領域Ａ１が、測色用画像を表示する対象領域として選択されている。
【００４４】
また、例えば図７（ｂ）において、表示画面１２１は、９個の領域すなわち第１領域Ａ１〜第９領域Ａ９に分割されている。図７（ｂ）に示す例において、第１領域Ａ１〜第９領域Ａ９は、縦に３列×横に３列に並べて配置されており、それぞれがほぼ同じ面積（画素数）を有する。そして、この例では、測定デバイス情報に基づき、図中中央側となる第５領域Ａ５が、測色用画像を表示する対象領域として選択されている。
【００４５】
さらに、例えば図７（ｃ）において、表示画面１２１は、２５個の領域すなわち第１領域Ａ１〜第２５領域Ａ２５に分割されている。図７（ｃ）に示す例において、第１領域Ａ１〜第２５領域Ａ２５は、縦に５列×横に５列に並べて配置されており、それぞれがほぼ同じ面積（画素数）を有する。そして、この例では、測定デバイス情報に基づき、図中中央側となる第１３領域Ａ１３が、測色用画像を表示する対象領域として選択されている。
【００４６】
なお、図７（ａ）に示す例では第１領域Ａ１を、図７（ｂ）に示す例では第５領域Ａ５を、図７（ｃ）に示す例では第１３領域Ａ１３を、それぞれ対象領域として選択していたが、これに限られるものではなく、表示装置１２の表示画面１２１に対する測色器２２の測定領域（測定デバイス情報の一例）に応じて変更することができる。すなわち、図７（ａ）は表示画面１２１の第１領域Ａ１を測色器２２にて測定する場合を、図７（ｂ）は表示画面１２１の第５領域Ａ５を測色器２２にて測定する場合を、図７（ｃ）は表示画面１２１の第１３領域Ａ１３を測色器２２で測定する場合を、それぞれ例示していることになる。
【００４７】
次に、１台の画像処理装置１３に接続される表示装置１２の数（台数）に応じて対象領域を設定する場合について説明を行う。
図８は、図５に示すステップ２３１で決定された対象領域の他の一例を示す図である。ここで、図８（ａ）は１台の画像処理装置１３に１台の表示装置１２が接続されている場合を、図８（ｂ）は１台の画像処理装置１３に２台の表示装置１２が接続されている場合を、図８（ｃ）は１台の画像処理装置に４台の表示装置が接続されている場合を、それぞれ例示している。図８（ｂ）に示す例では、２つの表示装置１２を横方向に２列に配置することで、第１表示画面１２１ａおよび第２表示画面１２１ｂが水平方向に連続している。また、図８（ｃ）に示す例では、４つの表示装置１２を縦方向に２列×横方向に２列に配置することで、第１表示画面１２１ａおよび第２表示画面１２１ｂと第３表示画面１２１ｃおよび第４表示画面１２１ｄとがそれぞれ水平方向に連続し、且つ、第１表示画面１２１ａおよび第３表示画面１２１ｃと第２表示画面１２１ｂおよび第４表示画面１２１ｄとがそれぞれ垂直方向に連続している。
なお、図８に示す例では、各表示画面１２１（第１表示画面１２１ａ〜第４表示画面１２１ｄ）が、９つの領域（第１領域Ａ１〜第９領域Ａ９）に分割されているものとする。
【００４８】
例えば図８（ａ）に示すような単体の表示画面１２１の場合、図中中央側となる第５領域Ａ５が、測色用画像を表示する対象領域として選択される。
【００４９】
これに対し、例えば図８（ｂ）に示すように第１表示画面１２１ａと第２表示画面１２１ｂとを横方向に並べて配置した場合、第１表示画面１２１ａでは、図中において横方向右側且つ縦方向中央部に位置する第６領域Ａ６が、第１表示画面１２１ａの右側に隣接する第２表示画面１２１ｂでは、図中において横方向左側且つ縦方向中央部に位置する第４領域Ａ４が、それぞれ、測色用画像を表示する対象領域として選択される。
【００５０】
また、例えば図８（ｃ）に示すように第１表示画面１２１ａ〜第４表示画面１２１ｄを縦横各２列ずつに並べて配置した場合、第１表示画面１２１ａでは、図中において横方向右側且つ縦方向下側に位置する第９領域Ａ９が、第１表示画面１２１ａの右側に隣接する第２表示画面１２１ｂでは、図中において横方向左側且つ縦方向下側に位置する第７領域Ａ７が、第１表示画面１２１ａの下側に位置する第３表示画面１２１ｃでは、図中において横方向右側且つ縦方向上側に位置する第３領域Ａ３が、第２表示画面１２１ｂの下側且つ第３表示画面１２１ｃの右側に位置する第４領域Ａ４では、図中において横方向左側且つ縦方向上側に位置する第１領域Ａ１が、それぞれ、測色用画像を表示する対象領域として選択される。
【００５１】
なお、図８（ｂ）および図８（ｃ）に示すようなマルチモニタ構造を採用する場合、隣接する２つの表示画面１２１のそれぞれを構成する複数の領域の中から、隣り合う２つの領域が対象領域として選択される。これに伴い、これら２つの表示画面１２１に対応して作成される２つの色変換テーブルは、隣接する２つの表示画面１２１の境界部での色再現のずれを目立ちにくくさせることが可能なものとなる。
【００５２】
また、図７および図８に示す例では、１つの表示画面１２１を分割して得られた複数の領域から１つの領域を対象領域として選択しているが、これに限られるものではない。例えば測色器２２が１つの表示画面１２１内で複数の領域の測色を行うことができるように複数個設けられている場合は、測色可能な領域の数と同じ数の領域を対象領域として設定することができる。例えば９個の測色器２２が表示画面１２１内で９つの領域（第１領域Ａ１〜第９領域Ａ９）の測色を行えるように構成されている場合、これら第１領域Ａ１〜第９領域Ａ９をそれぞれ対象領域とすることができる。
【００５３】
図９は、対象領域に表示する測色用画像の色、数および順番の決定（図５のステップ２３２）で用いられる測色用画像数決定テーブルの一例を示す図である。なお、図９は、上述した図６と同じく、１台の画像処理装置１３に１台の表示装置１２が接続されている場合に用いられる測色用画像数決定テーブルを例示している。
【００５４】
図９に示す例では、例えばＡ社製のディスプレイ（図中『ディスプレイＡ』と記す）を用いる場合における測色用画像の数（測色用画像数）を相対的に少なくし（図中『少』と記す）、例えばプロジェクタを用いる場合における測色用画像数を相対的に多くし（図中『多』と記す）、例えばＢ社製のディスプレイ（図中『ディスプレイＢ』と記す）を用いる場合における測色用画像数を、上記『少』と『多』との間の数（図中『中』と記す）としている。ここで、基準色データ記憶部１３４に記憶される基準色データの色の数は、少なくとも上記プロジェクタ用の測色用画像数以上に設定される。
【００５５】
図１０は、表示画面１２１に表示する測色用画像の配置の一例を示す図である。ここで、図１０（ａ）は、１つの表示画面１２１を分割することなく構成した第１領域Ａ１に、１つの測色用画像Ｐ１を表示させる場合を例示している。これに対し、図１０（ｂ）は、１つの表示画面１２１を９つの領域（第１領域Ａ１〜第９領域Ａ９）に分割し、これら第１領域Ａ１〜第９領域Ａ９に、それぞれ、異なる９つの測色用画像Ｐ１〜Ｐ９を表示させる場合を例示している。図１０（ａ）に示す例は、測定を行う測色器２２を１個だけ有している場合に適用される。これに対し、図１０（ｂ）に示す例は、測定を行う測色器２２を複数個（ここでは９個）有している場合、または、２次元測定（面測定）可能な測色器２２が接続されている場合に適用される。
【００５６】
色設定システム２０が複数個の測色器２２を有している場合、表示画面１２１に同時に複数の測色用画像を表示することが可能となり、その分、色変換テーブルの作成における測色用画像の表示および測色用画像の色の測定に要する時間を短くすることができる。その結果、色の測定結果に基づいて作成される色変換テーブルにおける誤差を小さくすることが可能となる。
【００５７】
一方、色設定システム２０が１個の測色器２２を有している場合、表示画面１２１に同時に１つの測色用画像を表示することしかできなくなる。ただし、特に画面サイズが大きい表示装置１２では、表示画面１２１の全面に測色用画像を表示しようとした場合に、電力不足が生じて表示輝度が低下してしまい、目的とする測色結果を得られなくなる懸念がある。このため、大画面サイズの表示装置１２として用いられるプロジェクタやプラズマディスプレイの場合は、液晶ディスプレイ等と比較して、表示画面１２１の分割数を増加させることで個々の領域を狭くするとともに、対象領域の数を少なくする（例えば１個にする）とよい。
【００５８】
なお、上述した説明は、色変換テーブルの作成における測色用の出力画像データの作成に関するものであったが、本実施の形態の画像処理装置１３は、さらに他の機能も有している。
【００５９】
図１１は、本実施の形態の画像表示システム１０において、画像処理装置１３を用いて表示装置１２の表示画面１２１に表示させることのできる他の画像の一例を示す図である。
【００６０】
例えば図１１（ａ）に示す例では、１つの表示画面１２１を２つの領域（第１領域Ａ１および第２領域Ａ２）に分割している。そして、第１領域Ａ１には、表示装置１２から画像処理装置１３に入力される入力画像データを、出力画像データ作成部１３１において色変換処理することで得られた表示用の出力画像データに基づく表示用画像Ｉを表示している。また、第１領域Ａ１に隣接する第２領域Ａ２には、基準色データ記憶部１３４から読み出した特定の基準色データを、出力画像データ作成部１３１において色変換処理することで得られた測色用の出力画像データに基づく測色用画像Ｐを表示している。
【００６１】
このように、本実施の形態の画像処理装置１３は、入手先が異なる複数（ここでは２個）の画像データに基づく出力画像データの作成が可能である。また、本実施の形態の画像処理装置１３では、出力画像データ作成部１３１が、基準色データ記憶部１３４から読み出した基準色データに対し、色変換テーブル記憶部１３２から読み出した色変換テーブルを用いた色変換処理を施して出力することも可能となっている。
【００６２】
また、例えば図１１（ｂ）に示す例では、１つの表示画面１２１を２つの領域（第１領域Ａ１および第２領域Ａ２）に分割している。そして、第１領域Ａ１には、基準色データ記憶部１３４から読み出した特定の基準色データを、出力画像データ作成部１３１において色変換処理することなく得られた第１の測色用の出力画像データに基づく第１の測色用画像Ｐ１を表示している。また、第１領域Ａ１に隣接する第２領域Ａ２には、基準色データ記憶部１３４から読み出した特定の基準色データ（同じ色の基準色データ）を、出力画像データ作成部１３１において色変換処理することで得られた第２の測色用の出力画像データに基づく第２の測色用画像Ｐ２を表示している。
【００６３】
このように、本実施の形態の画像処理装置１３では、出力画像データ作成部１３１が、基準色データ記憶部１２４から読み出した同じ内容の基準色データに対し、色変換テーブル記憶部１３２から読み出した色変換テーブルを用いた色変換処理を施した画像データと色変換処理を施さない画像データとを、１つの出力画像データとしてまとめて出力することが可能である。これにより、色変換処理前後の色の違いを、表示画面１２１に表示させて確認することが可能になる。
【００６４】
ここで、本実施の形態の画像処理装置１３では、基準色データ記憶部１３４に記憶される基準色データの内容を、表示用ＰＣ１１ではなく、設定用ＰＣ２１を用いて書き換えることができる。このため、例えば対応する表示装置１２の数の増加に応じて、表示する測色用画像の元となる基準色データを追加することが可能である。
【００６５】
なお、本実施の形態の画像表示システム１０では、表示用ＰＣ１１と表示装置１２との間に、これら表示用ＰＣ１１と表示装置１２とは別体にて画像処理装置１３を配置するようにしていたが、これに限られるものではない。例えば、画像処理装置１３の機能を、表示装置１２に内蔵させてもかまわないし、表示用ＰＣ１１に内蔵させてもかまわない。ただし、表示用ＰＣ１１に画像処理装置１３の機能を内蔵させる場合にあっては、例えばビデオカード（グラフィックカード）など、表示用ＰＣ１１のＯＳの管理の外で画像処理装置１３の各機能を実現させることが必要になる。
【００６６】
また、本実施の形態では、図１に示す画像表示システム１０に画像処理装置１３を設ける場合を例として説明を行ったが、例えば画像表示システム１０にネットワークＮを介して別の画像表示システムや各種プリンタが接続される態様にあっては、それぞれの画像表示システムあるいはプリンタに画像処理装置１３が取り付けられることになる。
【符号の説明】
【００６７】
１０…画像表示システム、１１…表示用ＰＣ、１２…表示装置、１２１…表示画面、１３…画像処理装置、２０…色設定システム、２１…設定用ＰＣ、２２…測色器、１３１…出力画像データ作成部、１３２…色変換テーブル記憶部、１３３…表示デバイス情報取得部、１３４…基準色データ記憶部、Ｎ…ネットワーク
【要約】
【課題】種々の表示装置に適切な基準画像を表示させる。
【解決手段】画像表示システム１０は、表示用ＰＣ１１と、表示装置１２と、表示用ＰＣ１１と表示装置１２とに接続される画像処理装置１３とを備える。画像処理装置１３において、出力画像データ作成部１３１は、表示用ＰＣ１１からの入力画像データに対し、色変換テーブル格納部１３２から読み出した色変換テーブルを用いて色変換を施し、得られた表示用の出力画像データを表示装置１２に出力する。また、出力画像データ作成部１３１は、色変換テーブルを作成あるいは更新する際、表示デバイス情報取得部１３３が取得した表示デバイス情報、色設定システム２０の設定用ＰＣ２１から取得した測色デバイス情報および基準色データ格納部１３４から読み出した基準色データに基づいて測色用の出力画像データを作成し、表示装置１２に出力する。
【選択図】図２【図１】
0005440722.tif 000002
【図２】
0005440722.tif 000003
【図３】
0005440722.tif 000004
【図４】
0005440722.tif 000005
【図５】
0005440722.tif 000006
【図６】
0005440722.tif 000007
【図７】
0005440722.tif 000008
【図８】
0005440722.tif 000009
【図９】
0005440722.tif 000010
【図１０】
0005440722.tif 000011
【図１１】
0005440722.tif 000012